(57)【要約】【課題】機器に内蔵されたスピーカ装置の内部で動作時に発生する振動の、他の内蔵装置への悪影響を抑制する。【解決手段】スピーカ装置２５０におけるスピーカ本体２５１が、スピーカ筐体２５１ｂとそのスピーカ筐体２５１ｂに組み込まれた、振動して音を出す振動部２５１ａとを備える。そして、スピーカ装置２５０が、スピーカ本体２５１のスピーカ筐体２５１ｂから延びた、中途には他の部分よりもバネ性を高める中途構造２５３が設けられた板状の腕２５２を備える。この、中途構造２５３は、腕２５２の板面に交わる方向に折れ曲がった構造によりバネ性が高められており、振動部２５１ａで発生する振動を抑制する役割を果たす。【選択図】        図４
2011176449.tif 000002
【特許請求の範囲】
【請求項１】
スピーカ筐体と、
前記スピーカ筐体に組み込まれた、振動して音を出す振動部と、
固定部を有し、前記スピーカ筐体から前記固定部まで延びた、中途には他の部分よりもバネ性を高める構造が設けられている腕と、
を備えたことを特徴とするスピーカ装置。
【請求項２】
前記腕が、該腕の端部間の最短経路を迂回する迂回経路が中途に設けられたものであることを特徴とする請求項１記載のスピーカ装置。
【請求項３】
前記腕が、板状で、板面に交わる方向に折れ曲がった構造が中途に設けられたものであることを特徴とする請求項１または２記載のスピーカ装置。
【請求項４】
スピーカ筐体と、
前記スピーカ筐体に組み込まれた、振動して音を出す振動部と、
固定部を有し、前記スピーカ筐体から前記固定部まで延びた、中途には他の部分よりもバネ性を高める構造が設けられている腕と、
を有するスピーカ装置；
前記固定部により前記スピーカ装置が固定される機器筐体；および、
前記機器筐体に収納され、情報を記憶媒体に記憶する情報記憶部；
を備えたことを特徴とする電子機器。
【請求項５】
スピーカ筐体と、
前記スピーカ筐体に組み込まれた、振動して音を出す振動部と、
固定部を有し、前記スピーカ筐体から前記固定部まで延びた、中途には他の部分よりもバネ性を高める構造が設けられている腕と、
を有するスピーカ装置；
前記固定部により前記スピーカ装置が固定される装置筐体；
前記装置筐体に収納され、情報を記憶媒体に記憶する情報記憶部；および、
前記装置筐体に収納され、情報処理を実行する情報処理部；
を備えたことを特徴とする情報処理装置。
【発明の詳細な説明】
【技術分野】
【０００１】
本件は、電気信号を音に変換して発するスピーカ装置、そのようなスピーカ装置を搭載した電子機器、および情報処理装置に関する。
【背景技術】
【０００２】
従来、電気信号が入力され、その電気信号を音に変換して発するスピーカ装置が知られている（例えば、特許文献１〜３参照）。近年では、スピーカ装置の小型化が進み、例えばパーソナルコンピュータ等といった様々な機器にスピーカ装置が搭載されるようになってきている。
【先行技術文献】
【特許文献】
【０００３】
【特許文献１】特開平６−２４５２９５号公報
【特許文献２】特開平１０−０６６１７９号公報
【特許文献３】特開２００４−３２００８９号公報
【発明の概要】
【発明が解決しようとする課題】
【０００４】
ここで、パーソナルコンピュータには、いわゆるＨＤＤ（Ｈａｒｄ  Ｄｉｓｋ  Ｄｒｉｖｅ）等といった振動に弱い装置を搭載しているものが多い。一方、スピーカ装置の多くは、振動して音を出す振動部を内蔵している。
【０００５】
近年では、パーソナルコンピュータについても小型化が進み、パーソナルコンピュータにスピーカ装置が搭載されるときの搭載位置がＨＤＤ等の搭載位置に近づく傾向がある。このため、パーソナルコンピュータにおいて、スピーカ装置の動作時に発生する振動が、ＨＤＤ等といった振動に弱い装置に悪影響を及ぼしてしまうリスクが高まっている。
【０００６】
尚、ここまで、パーソナルコンピュータを例に挙げて、内蔵のスピーカ装置の動作時に発生する振動による他の内蔵装置への悪影響を説明した。しかしながら、このような事態は、パーソナルコンピュータに限らず、振動に弱い装置とスピーカ装置とを内蔵している電子機器や情報処理装置であれば同様に生じ得る事態である。
【０００７】
本件は上記事情に鑑み、機器に内蔵されつつも、動作時に発生する振動による他の内蔵装置への悪影響が抑制されたスピーカ装置、そのようなスピーカ装置を搭載した電子機器、および情報処理装置を提供することを目的とするものである。
【課題を解決するための手段】
【０００８】
上記目的を達成するスピーカ装置は、スピーカ筐体と、振動部と、腕とを備えている。
【０００９】
振動部は、上記スピーカ筐体に組み込まれた、振動して音を出すものである。
【００１０】
腕は、固定部を有し、上記スピーカ筐体から上記固定部まで延びた、中途には他の部分よりもバネ性を高める構造が設けられているものである。
【００１１】
また、上記目的を達成する電子機器は、上記スピーカ装置、機器筐体、および情報記憶部を備えている。
【００１２】
機器筐体は、上記固定部により上記スピーカ装置が固定されるものである。
【００１３】
情報記憶部は、上記機器筐体に収納され、情報を記憶媒体に記憶するものである。
【００１４】
また、上記目的を達成する情報処理装置は、上記スピーカ装置、装置筐体、情報記憶部、および情報処理部を備えている。
【００１５】
装置筐体は、上記固定部により上記スピーカ装置が固定されるものである。
【００１６】
情報記憶部は、上記装置筐体に収納され、情報を記憶媒体に記憶するものである。
【００１７】
情報処理部は、上記装置筐体に収納され、情報処理を実行するものである。
【発明の効果】
【００１８】
本件によれば、機器に内蔵されたスピーカ装置の内部で動作時に発生する振動の、他の内蔵装置への悪影響を抑制することができる。
【図面の簡単な説明】
【００１９】
【図１】基本形態について説明したスピーカ装置の第１実施形態を搭載したノート型のパーソナルコンピュータ（ノートＰＣ）を、そのノートＰＣが開かれた開状態について示す斜視図である。
【図２】図１のノートＰＣを、そのノートＰＣが閉じられた閉状態ついて示す斜視図である。
【図３】図１に示す本体筐体から、第１実施形態のスピーカ装置が固定されているパネルを取り外し、そのパネルを、スピーカ装置が見えるように裏返して示した図である。
【図４】図３に示すスピーカ装置を、音を発する振動部を上に向けて示した図である。
【図５】比較例のスピーカ装置を示す図である。
【図６】腕の中途構造によって、スピーカ本体で動作時に発生する振動の、ネジ止め固定される端部への伝達、延いては、本体筐体への振動の伝達が抑制される様子を示す模式図である。
【図７】第２実施形態のスピーカ装置が固定されているパネルを、スピーカ装置が見えるように裏返して示した図である。
【図８】図７に示すスピーカ装置を、音を発する振動部を上に向けて示した図である。
【発明を実施するための形態】
【００２０】
以下、本件のスピーカ装置、電子機器、および情報処理装置の具体的な実施形態について、図面を参照して説明する。
【００２１】
まず、第１実施形態について説明する。
【００２２】
図１は、本件のスピーカ装置の第１実施形態を搭載したノート型のパーソナルコンピュータ（ノートＰＣ）を、そのノートＰＣが開かれた開状態について示す斜視図である。また、図２は、図１のノートＰＣを、そのノートＰＣが閉じられた閉状態ついて示す斜視図である。
【００２３】
これらの図に示すノートＰＣ１０は、本件の電子機器の具体的な実施形態、および本件の情報処理装置の具体的な実施形態を兼ねたものである。
【００２４】
このノートＰＣ１０は、表示装置１００と本体装置２００とを備えている。これら表示装置１００は本体装置２００に、表示装置１００が本体装置２００に対し矢印Ａ方向に開閉自在となるように連結されている。図１には、表示装置１００が本体装置２００に対し開かれた開状態にあるノートＰＣ１０の外観図が示されている。また、図２には、表示装置１００が本体装置２００に対し閉じられた閉状態にあるノートＰＣ１０の外観図が示されている。
【００２５】
表示装置１００は、表示筐体１０１内に液晶パネル１０２が、表示画面１０２ａが露出するように収納されたものである。
【００２６】
表示筐体１０１は、ノートＰＣ１０が開状態にあるときに表示画面１０２ａがユーザに向くように液晶パネル１０２を立たせて保持するものとなっている。また、この表示装置１００では、表示画面１０２ａに表示される像の明るさが、このノートＰＣ１０の周囲の照度に応じた明るさに自動調節されるようになっている。そして、表示装置１００には、ノートＰＣ１０の周囲の光を表示筐体１０１内に受け入れる受光窓１０３が、表示画面１０２ａの下側の位置に設けられている。そして、表示筐体１０１内には、この受光窓１０３の奥側の位置に、受光窓１０３から入射してくる光の照度を検出する不図示の照度センサが収容されている。
【００２７】
本体装置２００は、本体筐体２０１内に、可搬媒体である光ディスクをドライブするＯＤＤ（Ｏｐｔｉｃａｌ  Ｄｉｓｋ  Ｄｒｉｖｅ）２０２や、ＣＰＵ２０３や、ＨＤＤ２０４が収納されたものである。ＣＰＵ２０３は、上記の表示画面１０２ａ等に表示される情報の生成等といった情報処理を実行する。ＨＤＤ２０４は、各種情報を内蔵の磁気ディスクに記憶する。
【００２８】
また、この本体筐体２０１は、上記の閉状態の際に表示装置１００で覆われる上面に、キーボード２０５、トラックパッド２０６、左右２つのクリックボタン２０７、指紋認証のための指紋認証部２０８を備えている。
【００２９】
また、この上面には、表示画面１０２ａに対するサブ画面２０９が組み込まれている。このサブ画面２０９は、接触操作によって情報が入力される入力操作面を兼ねたものとなっている。そして、このサブ画面２０９の近傍には、その接触操作に用いられる操作ペン２１０の収納部２１１が設けられている。また、サブ画面２０９の近傍には、このサブ画面２０９を挟んで２つのスピーカ装置２５０が設置され、更に、サブ画面２０９の図中右側には各種操作ボタン２１２とカメラ２１３とが設けられている。
【００３０】
サブ画面２０９の近傍に設置された２つのスピーカ装置２５０それぞれが、本件のスピーカ装置の第１実施形態に相当する。
【００３１】
また、上記の本体筐体２０１が、スピーカ装置が固定される機器筐体および装置筐体を兼ねた一例に相当する。また、上記のＨＤＤ２０４が、機器筐体あるいは装置筐体に収納され、情報を記憶媒体に記憶する情報記憶部の一例に相当する。また、ＣＰＵ２０３が、装置筐体に収納され、情報処理を実行する情報処理部の一例に相当する。
【００３２】
ノートＰＣ１０は、概略、図１および図２を参照して説明した構成を有している。
【００３３】
以下、このノートＰＣ１０に搭載されているスピーカ装置２５０について説明する。
【００３４】
図３は、図１に示す本体筐体から、第１実施形態のスピーカ装置が固定されているパネルを取り外し、そのパネルを、スピーカ装置が見えるように裏返して示した図である。また、図４は、図３に示すスピーカ装置を、音を発する振動部を上に向けて示した図である。
【００３５】
図３および図４に示すように、スピーカ装置２５０は、スピーカ本体２５１と、腕２５２とを備えている。
【００３６】
スピーカ本体２５１は、振動部２５１ａと、樹脂で形成されたスピーカ筐体２５１ｂとを有している。振動部２５１ａは、電気信号を受けると振動して音を発するものである。また、スピーカ本体２５１では、振動部２５１ａが保護キャップ２５１ｃで覆われている。
【００３７】
ここで、本実施形態では特定はしないが、この振動部２５１ａは、何らかの筐体に組み込まれて、振動して音を出すものであればどのようなタイプのものであっても良い。
【００３８】
図３に示すパネル２０１ａには、スピーカ本体２５１の振動部２５１ａが覗くための丸窓が開いている。スピーカ本体２５１は、この丸窓から、図１に示すように振動部２５１ａが覗いた状態でこのパネル２０１ａに固定される。
【００３９】
腕２５２は、スピーカ筐体２５１ｂから延び、その端部に固定部を有する。この固定部には貫通孔２５２ａが開けられている。スピーカ本体２５１は、この固定部の貫通孔２５２ａを貫通するネジ２０１ｂにより、パネル２０１ａに、図３に示すようにネジ止め固定される。本実施形態のスピーカ装置２５０は、この腕２５２を、このスピーカ本体２５１を挟んで２つ備えている。
【００４０】
また、この腕２５２は、スピーカ筐体２５１ｂ側の端部と、貫通孔２５２ａが開けられた固定部との間に、他の部分よりもバネ性が高い中途構造２５３が設けられている。本実施形態では、この腕２５２は板状のものとなっている。
【００４１】
そして、この腕２５２における中途構造２５３は、スピーカ本体２５１において上記の振動部２５１ａから音が出る側を正面側、この正面側とは反対の側を裏側と呼ぶとすると、次のような構造となっている。
【００４２】
この中途構造２５３は、スピーカ本体２５１の裏側に向かってしばらく延びたところで折り返してスピーカ本体２５１の正面側に戻ってくるという構造となっている。
【００４３】
つまり、この中途構造２５３は、腕２５２の、スピーカ筐体２５１ｂ側の端部とネジ止め固定される固定部側の端部との間の最短経路を、スピーカ本体２５１の裏側に迂回する迂回経路となっている。そして、腕２５２では、このような迂回経路により中途構造２５３のバネ性が他の部分よりも高められている。この腕２５２が、スピーカ筐体から延び、固定部までの中途には他の部分よりもバネ性を高める構造が設けられている腕の一例に相当する。
【００４４】
本実施形態では、この腕２５２が、スピーカ筐体２５１ｂを形成する樹脂と同じ樹脂でスピーカ筐体２５１ｂと一体的に形成されている。
【００４５】
ここで、本実施形態のスピーカ装置２５０と比較する比較例について説明する。
【００４６】
図５は、比較例のスピーカ装置を示す図である。
【００４７】
この図５には、比較例のスピーカ装置２５０’が、図３と同様のパネル２０１ａ’に固定された状態で示されている。
【００４８】
この比較例のスピーカ装置２５０’では、パネル２０１ａ’にネジ止め固定される固定用腕２５２’がスピーカ本体２５１’の外側面に設けられている。この固定用腕２５２’は、スピーカ筐体２５１ｂ’に強固に固定されたものとなっている。
【００４９】
この比較例のスピーカ装置２５０’では、固定用腕２５２’はスピーカ筐体２５１ｂ’に強固に固定されていることで、スピーカ筐体２５１ｂ’側の一端から反対側の他端まで高い剛性を有するものとなっている。その結果、スピーカ装置２５０’で動作時に発生する振動が、ほぼそのまま固定用腕２５２’を伝わってパネル２０１ａ’に達してしまう。
【００５０】
この比較例におけるパネル２０１ａ’は、上述の本実施形態と同様にノートＰＣの本体筐体の一部である。ノートＰＣでは、本体筐体内の狭隘な空間に様々な電子部品や装置等いった内蔵物が組み込まれており、それらの内蔵物の中にはＨＤＤ等といった振動に弱い装置がある。この比較例では、スピーカ本体２５１’で動作時に発生する振動がほぼそのままパネル２０１ａ’に伝わってしまい、その結果、上記のような振動に弱い内蔵装置に悪影響を及ぼす恐れがある。
【００５１】
これに対し、上述の本実施形態のスピーカ装置２５０では、腕２５２の中途構造２５３により、スピーカ本体２５１で動作時に発生する振動の固定用腕２５２への伝達、延いては、本体筐体２０１への振動の伝達が、以下に説明するように抑制される。
【００５２】
図６は、腕の中途構造によって、スピーカ本体で動作時に発生する振動の、ネジ止め固定される端部への伝達、延いては、本体筐体への振動の伝達が抑制される様子を示す模式図である。
【００５３】
スピーカ本体２５１内の振動部２５１ａで発生しスピーカ筐体２５１ｂに伝わった振動Ｆは、まず、スピーカ筐体２５１ｂから腕２５２に伝わる。腕２５２は、ネジ止め固定される端部とスピーカ筐体２５１ｂ側の端部と間に、上記のように迂回経路を辿る中途構造２５３を有している。この中途構造２５３は、迂回経路を辿ることで、スピーカ筐体２５１ｂからも、ネジ止め固定からも拘束を受けない自由部分となっている。そして、中途構造２５３はこのような自由部分となっていることで大きなバネ性を有することとなっている。上記のようにスピーカ筐体２５１ｂから腕２５２に伝わった振動Ｆは、図６に模式的に示すように、自由部分となっているこの中途構造２５３でそのほとんどが吸収される。その結果、腕２５２においてネジ止め固定される端部へのスピーカ筐体２５１ｂからの振動Ｆの伝達が抑制され、延いては、その振動Ｆの本体筐体２０１への伝達が抑制されることとなる。
【００５４】
従って、本実施形態のスピーカ装置２５０によれば、ノートＰＣ１０に内蔵されつつも、動作時に発生する振動によるＨＤＤ等の他の内蔵装置への悪影響が抑制されることとなる。
【００５５】
ここで、本実施形態では、上記のように、腕２５２が端部間の最短経路を迂回した迂回経路を経る中途構造２５３を有することで、その中途構造が自由部分となり結果的にバネ性が高められている。そして、そのような中途構造２５３により、スピーカ本体２５１で発生した振動が簡単に抑制されることとなっている。
【００５６】
このことは、本件のスピーカ装置に対し、上記腕が、その腕の端部間の最短経路を迂回する迂回経路が中途に設けられたものであるという応用形態が好適であることを意味している。
【００５７】
本実施形態における腕２５２は、この応用形態における腕の一例にも相当している。
【００５８】
また、本実施形態では、上記の中途構造２５３が、腕２５２の板面に交わる方向に折れ曲がった構造となっている。本実施形態では、このような折れ曲がった構造により、ネジ止め箇所とスピーカ筐体２５１ｂとの間をあまり開けることなく、スペースを節約して中途構造２５３が設けられることとなっている。
【００５９】
このことは、本件のスピーカ装置に対し、次のような応用形態が好適であることを意味している。
【００６０】
この応用形態では、上記腕が、板状で、板面に交わる方向に折れ曲がった構造が中途に設けられたものであるとなっている。
【００６１】
本実施形態における腕２５２は、この応用形態における腕の一例にも相当している。
【００６２】
また、本実施形態では、スピーカ本体２５１は、樹脂で形成されたスピーカ筐体２５１ｂを有している。そして、本実施形態では、腕２５２が、スピーカ筐体２５１ｂを形成する樹脂と同じ樹脂でスピーカ筐体２５１ｂと一体的に形成されている。
【００６３】
ここで、図５を参照して説明した比較例については、振動に弱いＨＤＤ等といった内蔵装置への悪影響を抑制するために、固定用腕２５２’のパネル２０１ａ’へのネジ止め固定を、例えばゴム等の緩衝物を介して行うことも考えられる。しかしながら、このような方法では部品点数が増え、製造コストの増加を招いてしまう。
【００６４】
これに対し、本実施形態では、樹脂形成により、振動を抑制する腕２５２が、スピーカ筐体２５１ｂと一体的に形成されることで、振動に弱い他の装置への悪影響を抑制しつつも部品点数の増加延いては製造コストの増加が抑制されている。
【００６５】
このことは、本件のスピーカ装置に対し、上記スピーカ筐体と上記腕が、樹脂で一体的に形成されたものであるという応用形態が好適であることを意味している。
【００６６】
本実施形態におけるスピーカ筐体２５１ｂおよび腕２５２は、各々この応用形態における筐体および腕の各一例にも相当している。
【００６７】
次に、第２実施形態について説明する。
【００６８】
この第２実施形態は、スピーカ装置における腕の形状が、上述の第１実施形態と異なっている。以下、この第１実施形態との相違点に注目して第２実施形態についての説明を行う。尚、この第２実施形態では、スピーカ装置が搭載される電子機器や情報処理装置の実施形態については、上記の第１実施形態と同様のノートＰＣである。
【００６９】
図７は、第２実施形態のスピーカ装置が固定されているパネルを、スピーカ装置が見えるように裏返して示した図である。また、図８は、図７に示すスピーカ装置を、音を発する振動部を上に向けて示した図である。
【００７０】
尚、これらの図７および図８では、上記の図３および図４に示す構成要素と同等な構成要素については、図３および図４と同じ符号が付されており、以下では、それら同等な構成要素についての重複説明を省略する。
【００７１】
図７および図８に示すように、本実施形態のスピーカ装置３００は、板状で、板面に沿う方向に９０度折れ曲がった中途構造３０２が中途に設けられ、両端がスピーカ筐体２５１ｂに固定された腕３０１を、スピーカ本体２５１を挟んで２つ備えている。
【００７２】
また、各腕３０１には、スピーカ装置３００をパネル２０１ａに固定するためのネジ２０１ｂが貫通する貫通孔３０３ａが開けられた円形の固定部３０３が設けられている。また、腕３０１は、上述の第１実施形態と同様、スピーカ筐体２５１ｂを形成する樹脂と同じ樹脂でスピーカ筐体２５１ｂと一体的に形成されている。
【００７３】
本実施形態では、図７および図８に示す腕３０１が、本件のスピーカ装置における腕の一例に相当する。
【００７４】
本実施形態の腕３０１における中途構造３０２は、腕３０１の端部間の最短経路を、スピーカ筐体２５１ｂから離れる方向に迂回した迂回経路を辿ることとなっている。本実施形態では、この迂回経路の中央に固定部３０３が設けられている。この固定部３０３はネジ止めによって拘束を受けることとなるが、腕３０１のうち固定部３０３とスピーカ筐体２５１ｂとの間にある中途構造３０２が自由部分となっている。これにより、中途構造３０２は、バネ性が高められている。そして、スピーカ本体２５１で発生した振動が、この自由部分で吸収されることで、固定部３０３への振動の伝達、延いては、本体筐体２０１への振動の伝達が抑制されることとなる。
【００７５】
従って、本実施形態のスピーカ装置３００でも、ノートＰＣ１０に内蔵されつつも、動作時に発生する振動によるＨＤＤ等の他の内蔵装置への悪影響が抑制されることとなる。
【００７６】
また、本実施形態では、中途構造３０２が、腕３０１の板面に沿う方向に９０度折れ曲がった構造となっている。本実施形態では、腕３０１のこのような構造により、例えば腕３０１とパネル２０１ａとの間の空間について、スピーカ筐体２５１ｂのすぐそばまで他の部品の搭載空間として利用できる。
【００７７】
このことは、本件のスピーカ装置に対し、上記腕が、板状で、板面に沿う方向に折れ曲がった構造が中途に設けられたものであるという応用形態が好適であることを意味している。
【００７８】
本実施形態における腕３０１は、この応用形態における腕の一例にも相当している。
【００７９】
尚、上記では、スピーカ装置を搭載した機器としてノートＰＣを例示したが、スピーカ装置の搭載対象の機器はこれに限るものではない。このような機器は、例えば、ノート型ではない一般的なデスクトップ型のパーソナルコンピュータであっても良く、さらに大容量のワークステーション等といった情報処理装置であっても良い。
【００８０】
あるいは、例えば番組を録画してドライブ装置で媒体に記憶するテレビジョン装置等といった、スピーカ以外に、上記のドライブ装置やＨＤＤ等といった振動に弱い装置を内蔵するコンピュータ以外の電子機器であっても良い。
【００８１】
以下、本件の指紋検出装置を含む種々の形態に関し、更に以下の付記を開示する。
【００８２】
（付記１）
スピーカ筐体と、
前記スピーカ筐体に組み込まれた、振動して音を出す振動部と、
固定部を有し、前記スピーカ筐体から前記固定部まで延びた、中途には他の部分よりもバネ性を高める構造が設けられている腕と、
を備えたことを特徴とするスピーカ装置。
【００８３】
（付記２）
前記腕が、該腕の端部間の最短経路を迂回する迂回経路が中途に設けられたものであることを特徴とする付記１記載のスピーカ装置。
【００８４】
（付記３）
前記腕が、板状で、板面に交わる方向に折れ曲がった構造が中途に設けられたものであることを特徴とする付記１または２記載のスピーカ装置。
【００８５】
（付記４）
前記腕が、板状で、板面に沿う方向に折れ曲がった構造が中途に設けられたものであることを特徴とする付記１または２記載のスピーカ装置。
【００８６】
（付記５）
前記スピーカ筐体と前記腕が、樹脂で一体的に形成されたものであることを特徴とする付記１から４のうちいずれか１項記載のスピーカ装置。
【００８７】
（付記６）
スピーカ筐体と、
前記スピーカ筐体に組み込まれた、振動して音を出す振動部と、
固定部を有し、前記スピーカ筐体から前記固定部まで延びた、中途には他の部分よりもバネ性を高める構造が設けられている腕と、
を有するスピーカ装置；
前記固定部により前記スピーカ装置が固定される機器筐体；および、
前記機器筐体に収納され、情報を記憶媒体に記憶する情報記憶部；
を備えたことを特徴とする電子機器。
【００８８】
（付記７）
スピーカ筐体と、
前記スピーカ筐体に組み込まれた、振動して音を出す振動部と、
固定部を有し、前記スピーカ筐体から前記固定部まで延びた、中途には他の部分よりもバネ性を高める構造が設けられている腕と、
を有するスピーカ装置；
前記固定部により前記スピーカ装置が固定される装置筐体；
前記装置筐体に収納され、情報を記憶媒体に記憶する情報記憶部；および、
前記装置筐体に収納され、情報処理を実行する情報処理部；
を備えたことを特徴とする情報処理装置。
【符号の説明】
【００８９】
１０    ノートＰＣ
１００    表示装置
１０１    表示筐体
１０２    液晶パネル
１０２ａ    表示画面
１０３    受光窓
２００    本体装置
２０１    本体筐体
２０１ａ，２０１ａ’    パネル
２０１ｂ    ネジ
２０２    ＯＤＤ
２０３    ＣＰＵ
２０４    ＨＤＤ
２０５    キーボード
２０６    トラックパッド
２０７    クリックボタン
２０８    指紋認証部
２０９    サブ画面
２１０    操作ペン
２１１    収納部
２１２    操作ボタン
２１３    カメラ
２５０，２５０’，３００    スピーカ装置
２５１，２５１’    スピーカ本体
２５１ａ    振動部
２５１ｂ    筐体
２５２，３０１    腕
２５２’    固定用腕
２５２ａ，３０１ａ    貫通孔
２５３，３０２    中途構造
３０３    固定部
【図１】
2011176449.tif 000003
【図２】
2011176449.tif 000004
【図３】
2011176449.tif 000005
【図４】
2011176449.tif 000006
【図５】
2011176449.tif 000007
【図６】
2011176449.tif 000008
【図７】
2011176449.tif 000009
【図８】
2011176449.tif 000010